(57)【要約】【課題】  ウォータジャケットにスペーサを配置した場合、スペーサが通水口を塞がないシリンダブロックの冷却構造の提供。【解決手段】（１）シリンダブロックのウォータジャケットにスペーサを配置したシリンダブロックの冷却構造１であって、スペーサ２０の、ウォータジャケット１０の通水口９に対向する部分に、切り欠き２４を設けたシリンダブロックの冷却構造。（２）シリンダブロックのウォータジャケットにスペーサを配置したシリンダブロックの冷却構造１であって、スペーサ２０に、ウォータジャケットの水圧の高い部位からウォータジャケットの通水口９にエンジン冷却水を導く通路２５を設けたシリンダブロックの冷却構造。【選択図】        図３
2005120945.tif 000002
【特許請求の範囲】
【請求項１】
シリンダブロックのウォータジャケットにスペーサを配置したシリンダブロックの冷却構造であって、スペーサの、ウォータジャケットの通水口に対向する部分に、切り欠きを設けたシリンダブロックの冷却構造。
【請求項２】
シリンダブロックのウォータジャケットにスペーサを配置したシリンダブロックの冷却構造であって、スペーサに、ウォータジャケットの水圧の高い部位からウォータジャケットの通水口にエンジン冷却水を導く通路を設けたシリンダブロックの冷却構造。
【発明の詳細な説明】
【技術分野】
【０００１】
本発明は、エンジンのシリンダブロックの冷却構造に関する。
【背景技術】
【０００２】
従来、特開２００２−２６６６９５号公報は、シリンダブロックと別体で形成したスペーサ（「インサート」と言ってもよい）をウォータジャケットに配置してシリンダボア壁（ウォータジャケット内壁）の温度分布を均一化するシリンダブロックの冷却構造を開示している。
【０００３】
しかし、上記のシリンダブロックの冷却構造には、つぎの問題がある。
すなわち、ドレン穴やオイルクーラなど外部の熱交換器への水出口などの通水口がシリンダブロックのウォータジャケットにある場合、ウォータジャケットにスペーサを挿入すると、スペーサが通水口を塞いで流れ抵抗となり、通水口がドレン穴の場合は、排水時間が長くなってサービス性が悪くなり、通水口がオイルクーラなどへの水出口の場合は、流量不足でクーラの性能が発揮できないという問題が起きる。
【特許文献１】特開２００２−２６６６９５号公報
【発明の開示】
【発明が解決しようとする課題】
【０００４】
本発明が解決しようとする問題点は、ウォータジャケットにスペーサを配置した場合、スペーサが通水口を塞いで流れ抵抗大となる場合があるという問題である。
【０００５】
本発明の目的は、ウォータジャケットにスペーサを配置した場合、スペーサが通水口を塞がないシリンダブロックの冷却構造を提供することにある。
【課題を解決するための手段】
【０００６】
上記目的を達成する本発明はつぎの通りである。
（１）  シリンダブロックのウォータジャケットにスペーサを配置したシリンダブロックの冷却構造であって、スペーサの、ウォータジャケットの通水口に対向する部分に、切り欠きを設けたシリンダブロックの冷却構造。
（２）  シリンダブロックのウォータジャケットにスペーサを配置したシリンダブロックの冷却構造であって、スペーサに、ウォータジャケットの水圧の高い部位からウォータジャケットの通水口にエンジン冷却水を導く通路を設けたシリンダブロックの冷却構造。
【発明の効果】
【０００７】
上記（１）のシリンダブロックの冷却構造によれば、スペーサの、ウォータジャケットの通水口に対向する部分に、切り欠きを設けたので、スペーサがエンジン冷却水の通水口への流れ込みの通水抵抗となるのを抑制することができ、シリンダブロックの外部への通水が容易となる。
上記（２）のシリンダブロックの冷却構造によれば、スペーサに、ウォータジャケットの水圧の高い部位からウォータジャケットの通水口にエンジン冷却水を導く通路を設けたので、スペーサがエンジン冷却水の通水口への流れ込みの通水抵抗となるのを抑制することができ、シリンダブロックの外部への通水が容易となる。
【発明を実施するための最良の形態】
【０００８】
本発明実施例のシリンダブロックの冷却構造を、図１〜図７を参照して、説明する。
図中、図１〜図３は本発明の実施例１を示し、図４〜図６は本発明の実施例２を示す。図７は比較例で本発明に含まれない。本発明の実施例１と実施例２に共通する部分には、本発明の実施例１と実施例２にわたって同じ符号を付してある。
まず、本発明の実施例１と実施例２に共通する部分を、たとえば、図１〜図３を参照して説明する。
【０００９】
本発明のシリンダブロックの冷却構造１は、内燃機関のシリンダブロック２に形成されたウォータジャケット１０内にスペーサ２０（挿入物という意味で、「インサート」といってもよい）を配置したシリンダブロックの冷却構造である。
ウォータジャケット１０にエンジン冷却水が流れ、シリンダボア壁４（ウォータジャケット内壁）を適正温度に冷却する。スペーサ２０は、ウォータジャケット１０に挿入されて、ウォータジャケット１０内のエンジン冷却水の流量分布を変え、シリンダボア壁４（ウォータジャケット内壁）の温度を各シリンダボア３の上下方向および気筒間で均一化させる。
【００１０】
内燃機関は、シリンダブロック２に１以上のシリンダボア３を有する。シリンダボア３まわりにウォータジャケット１０が形成される。図示例では、シリンダボア３が、複数、互いに並列に設けられている。複数のシリンダボア３の軸芯は、シリンダブロック長手方向に延びる直線上に位置している。図示例は、複数のシリンダボア３がシリンダブロック２に形成されている場合を示している。シリンダボア３の軸芯は、上下方向に延び、左右のバンクがＶ字状をなすＶ型エンジンでは、斜め上下方向に延びる。
【００１１】
シリンダボアの軸芯と直交する面内方向には、ウォータジャケット１０は、シリンダボア３まわりに、複数のシリンダボア３を外側から囲むように形成される。
シリンダボアの軸芯と直交する面内方向には、ウォータジャケット１０は、シリンダボア列の左右両側でシリンダブロック長手方向に延びる流路１４、１５と、シリンダブロック長手方向両端部で流路１４、１５が合流する合流部１６、１７を有している。ウォータジャケット１０は、シリンダブロック長手方向一端部１６にエンジン冷却水の入口を有し、シリンダブロック長手方向他端部１７にエンジン冷却水の出口を有する。
シリンダボアの軸芯と平行な方向には、ウォータジャケット１０は、ピストンの上面のストローク範囲の側方に形成され、ピストンの上面のストローク範囲とほぼ同じ深さ（高さ）を有する。
【００１２】
本発明では、ウォータジャケット１０はオープンデッキのウォータジャケットで、上方に開口している。スペーサ２０は、通常、上部の開口からウォータジャケット１０内に挿入され、固定される。
ウォータジャケット１０は、シリンダボア壁４を兼ねるウォータジャケット内壁４と、ウォータジャケット外壁５との間に形成された空間で、底壁６有りで上方がシリンダヘッドガスケットを介してシリンダヘッドで覆われた空間である。ウォータジャケット内壁４はサイアミーズ型で、各気筒のウォータジャケット内壁４が連結して形成されている。ウォータジャケット１０にはエンジン冷却水が流れ、シリンダボア３まわりを冷却し、燃焼室を外部から冷却する。
【００１３】
シリンダブロック１とシリンダヘッドとによって挟まれるシリンダヘッドガスケットには、ウォータジャケット１０の上方に、ところどころに、シリンダブロック内のウォータジャケット１０からシリンダヘッド内のウォータジャケットに水を流通させる水孔、および／または、エア抜き孔（エンジン冷却水交換時などにおいて、水中に混入するエアを上方へと抜く孔）が設けられている。エンジン冷却水がエンジン冷却水の入口からエンジン冷却水の出口へと流れていく間に、一部がシリンダブロック内のウォータジャケット１０から水孔を通ってシリンダヘッド内ウォータジャケットへ出ていく。
【００１４】
スペーサ２０は、たとえば、樹脂製である。スペーサ２０は、ウォータジャケット１０に挿入可能な形状と大きさを有する。スペーサ２０の形状は、シリンダボアの軸芯と直交する面内方向には、ウォータジャケット１０と同様に、シリンダボア３まわりに延びる形状を有し、シリンダボアの軸芯と平行な方向には、ウォータジャケット１０の深さより低い高さを有する。スペーサ２０は、ウォータジャケット１０に挿入可能なように、ウォータジャケット１０の幅より小さい厚さを有する。スペーサ２０をウォータジャケット１０に挿入した状態では、スペーサ２０の内面とウォータジャケット内壁４の外面との間、およびスペーサ２０の外面とウォータジャケット外壁５の内面との間には、通常、挿入を可能とするためのクリアランスが残っている。ただし、何れか一方のクリアランスは０でもよい。
【００１５】
シリンダボア壁、すなわち、ウォータジャケット内壁４は、上部がエンジンの爆発、燃焼行程の熱を受けるため、上部を下部よりも強く冷却する必要がある。このため、ウォータジャケット１０内では、エンジン冷却水を、ウォータジャケット上部１１に多く流し、ウォータジャケット下部１２、ウォータジャケット中間部１３（高さ方向中間部）にはウォータジャケット上部１１より少なく流す必要がある。このため、スペーサ２０は、ウォータジャケット上部１１の空間より、ウォータジャケット下部１２、ウォータジャケット中間部１３の空間を、より多く占めるように、挿入される。これによって、シリンダボア壁４の温度が上下方向に均一化される。
【００１６】
ドレン穴（常時は閉、エンジン冷却水交換時などに開）やオイルクーラなど外部の熱交換器への水出口（あるいは戻りの水入口でもよい）などの通水口９が、シリンダブロックのウォータジャケット１０に開口させて、ウォータジャケット外壁５に、設けられている。図３、図６では、通水口９がウォータジャケット下部１２に開口して設けられている場合を示しているが、通水口９はウォータジャケット中間部１３に設けられてもよく、あるいはウォータジャケット上部１１に設けられてもよい。
通水口９がある場合、図７（比較例）に示すようにスペーサ２０が通水口９をほとんど塞ぐように設けられると、スペーサ２０が、通水口９に流れ込むエンジン冷却水の流れの抵抗となり、「発明が解決しようとする課題」で述べた種々の不具合を生じるので、その不具合を生じさせないシリンダブロックの冷却構造とする必要がある。その構造は、本発明の実施例１、実施例２によって異なる。
【００１７】
つぎに、本発明の各実施例に特有な部分を説明する。
本発明の実施例１のシリンダブロックの冷却構造１では、図１〜図３に示すように、スペーサ２０の、ウォータジャケット１０の通水口９に対向する部分に、切り欠き２４が設けられている。
切り欠き２４は、スペーサ２０を厚さ方向に貫通している。スペーサ２０とウォータジャケット内外壁４、５との間の隙間１９が設けられているが、通常は、スペーサ２０とウォータジャケット内壁４との間の隙間の方が、スペーサ２０とウォータジャケット外壁５との間の隙間より隙間厚さが大である。
通水口９は、この切り欠き２４、およびスペーサ２０とウォータジャケット内外壁４、５との間の隙間１９、とくにスペーサ２０とウォータジャケット内壁４との間の隙間を介して、ウォータジャケット１０の上部の冷却通路１８（メイン通路）と連通している。
【００１８】
本発明の実施例１の作用、効果については、スペーサ２０の、ウォータジャケット１０の通水口９に対向する部分に、切り欠き２４が設けられているため、通水口９は、スペーサ２０によって塞がれない。切り欠き２４は、スペーサ２０の通水口対向部がエンジン冷却水の通水口９への流れ込みの通水抵抗となるのを抑制することができ、シリンダブロックの外部への通水が容易となる。通水口９とウォータジャケット１０の上部の冷却通路１８との間を、切り欠き２４、およびスペーサ２０とウォータジャケット内外壁４、５との間の隙間１９、とくにスペーサ２０とウォータジャケット内壁４との間の隙間を介して、容易に流れることができる。
その結果、通水口９がドレン穴の場合には、排水時間が短くなり、サービス性がよくなる。また、通水口９がオイルクーラへの通水口の場合は、流量が確保され、クーラの性能が発揮される。
【００１９】
本発明の実施例２のシリンダブロックの冷却構造１では、図４〜図６に示すように、スペーサ２０に、ウォータジャケット１０の水圧の高い部位（たとえば、ウォータジャケット１０の上部の冷却通路１８のうち、冷却水入口に近い部位）からウォータジャケットの通水口９にエンジン冷却水を導く通路２５が設けられている。
通路２５は、スペーサ２０の外側面からスペーサ厚さ方向に凹んだ凹状通路からなる。
スペーサ２０のうち通水口９に対向する部位には、凹状の通路２５の一部があり、通水口９はスペーサ２０によって塞がれない。
【００２０】
図５には、通路２５が、ウォータジャケット１０の水圧の高い部位から下方に延び、スペーサ２０の下端部近傍で折れ曲がって下流方向に延び通水口９に対向する部位まで延びている場合を示したが、通路２５は図示例に限るものではなく、たとえば、ウォータジャケット１０の上部の冷却通路１８のうち通水口９の真上の部位とその真下の通水口９に対向する部位とを連通するように形成された通路であってもよい。その場合は、ウォータジャケット１０の水圧の高い部位（たとえば、ウォータジャケット１０の上部の冷却通路１８のうち、冷却水入口に近い部位）と、ウォータジャケット１０の上部の冷却通路１８のうち通水口９の真上の部位とは、ウォータジャケット１０の上部の冷却通路１８によって連通されている。
【００２１】
本発明の実施例２の作用、効果については、スペーサ２０に、ウォータジャケット１０の水圧の高い部位からウォータジャケットの通水口９にエンジン冷却水を導く通路２５を設けたので、スペーサ２０がエンジン冷却水の通水口９への流れ込みの通水抵抗となるのを抑制することができ、シリンダブロックの外部への通水が容易となる。
その結果、実施例１と同様に、通水口９がドレン穴の場合には、排水時間が短くなり、サービス性がよくなる。また、通水口９がオイルクーラへの通水口の場合は、流量が確保され、クーラの性能が発揮される。
【図面の簡単な説明】
【００２２】
【図１】本発明の実施例１のシリンダブロックの冷却構造の平面図である。
【図２】本発明の実施例１のシリンダブロックの冷却構造の、スペーサの側面図である。
【図３】本発明の実施例１のシリンダブロックの冷却構造の断面図（図１のＡ−Ａ断面図）である。
【図４】本発明の実施例２のシリンダブロックの冷却構造の平面図である。
【図５】本発明の実施例２のシリンダブロックの冷却構造の、スペーサの側面図である。
【図６】本発明の実施例２のシリンダブロックの冷却構造の断面図（図４のＡ−Ａ断面図）である。
【図７】比較例のシリンダブロックの冷却構造の断面図である。
【符号の説明】
【００２３】
１  シリンダブロックの冷却構造
２  シリンダブロック
３  シリンダボア
４  ウォータジャケット内壁（シリンダボア壁）
５  ウォータジャケット外壁
６  ウォータジャケット底壁
９  通水口
１０  ウォータジャケット
１１  （ウォータジャケットの）上部
１２  （ウォータジャケットの）下部
１３  （ウォータジャケットの）中間部
１４、１５  流路
１６、１７  合流部
１８  上部の冷却通路
１９  スペーサとウォータジャケット内外壁間の隙間
２０  スペーサ
２４  （スペーサの）切り欠き
２５  （スペーサに設けた）通路
【図１】
2005120945.tif 000003
【図２】
2005120945.tif 000004
【図３】
2005120945.tif 000005
【図４】
2005120945.tif 000006
【図５】
2005120945.tif 000007
【図６】
2005120945.tif 000008
【図７】
2005120945.tif 000009